(57)【特許請求の範囲】
【請求項１】
１又は複数の遊技機が集まって形成される遊技機群を備えた遊技場に設置される空気循環装置であって、
空気循環装置は空気循環機能を有する本体と装飾部材を有しており、
前記本体は遊技機群に設置可能であり、
遊技機群に本体を設置した状態で、本体から装飾部材を脱着可能な脱着手段を有し、
前記装飾部材は、係合部と、嵌合部を有し、
前記本体は、排気口又は吸気口を有しており、
前記脱着手段は、以下の（１）又は（２）の条件を満たすことを特徴とする遊技機用空気循環装置。
（１）前記脱着手段は、前記本体へ装飾部材を取り付ける場合に、前記装飾部材の後面が前記本体の前面に対して鋭角となるように前記装飾部材の嵌合部の一部を前記排気口に挿入し、本体と装飾部材との接触部分であって前記排気口以外の接触部分を回転軸として、前記装飾部材を本体側に回動させて、前記装飾部材の係合部を前記排気口に係合できる。
（２）前記脱着手段は、前記本体へ装飾部材を取り付ける場合に、前記装飾部材の後面が前記本体の前面に対して鋭角となるように前記装飾部材の嵌合部の一部を前記吸気口に挿入し、本体と装飾部材との接触部分であって前記吸気口以外の接触部分を回転軸として、前記装飾部材を本体側に回動させて、前記装飾部材の係合部を前記吸気口に係合できる。
【請求項２】
締結部材によって装飾部材を本体に固定するものであり、
本体と装飾部材の双方に亘って締結部材が挿入されていることを特徴とする請求項１に記載の遊技機用空気循環装置。
【請求項３】
１又は複数の遊技機が集まって形成される遊技機群を備えた遊技場に設置される空気循環装置であって、
空気循環装置は空気循環機能を有する本体と装飾部材を有しており、
前記本体は遊技機群に設置可能であって、本体の前面に立設した締結部を有し、
遊技機群に本体を設置した状態で、本体から装飾部材を脱着可能な脱着手段を有し、
前記装飾部材は、嵌合部と、締結貫通孔を有し、
前記本体は、排気口又は吸気口を有しており、
前記脱着手段は、以下の（３）又は（４）の条件を満たすことを特徴とする遊技機用空気循環装置。
（３）前記脱着手段は、前記装飾部材の後面が前記本体の前面に対して鋭角となるように前記装飾部材の嵌合部の一部を前記排気口に挿入し、本体と装飾部材との接触部分であって前記排気口以外の接触部分を回転軸として、前記装飾部材を本体側に回動させて、前記本体の締結部を前記装飾部材の締結貫通孔に挿入できる。
（４）前記脱着手段は、前記装飾部材の後面が前記本体の前面に対して鋭角となるように前記装飾部材の嵌合部の一部を前記吸気口に挿入し、本体と装飾部材との接触部分であって前記吸気口以外の接触部分を回転軸として、前記装飾部材を本体側に回動させて、前記本体の締結部を前記装飾部材の締結貫通孔に挿入できる。
【発明の詳細な説明】
【技術分野】
【０００１】
本発明は、遊技場に設置される遊技機用空気循環装置に関するものである。
【背景技術】
【０００２】
パチンコ機やスロット機等の遊技機が設置された遊技場では、１又は複数の遊技機から構成された遊技島が複数列並び、複数の遊技者が所定の遊技機で同時に遊技を行うことができるようになっている。一般的に遊技機同士の間隔は非常に狭く、隣り合った遊技者同士は互いに近接した状態であり、遊技者が喫煙すると、隣の遊技者に対してその伏流煙等が流れていき不快な思いをさせる虞がある。このような問題を解消するため、例えば特許文献１では遊技機間にエアカーテンを形成する遊技機用台間機（以下、空気循環装置という）を設ける提案がされている。
【先行技術文献】
【特許文献】
【０００３】
【特許文献１】特開２００８−１４８７２３号公報
【発明の概要】
【発明が解決しようとする課題】
【０００４】
ところで、近年の遊技機においては、演出役物や、派手な装飾ランプを設けた遊技機が増えている。このような遊技機が増えたことにより、遊技者の遊技意欲を掻き立てる要素が、遊技機の遊技内容だけでなく外見（見た目）もその一つに加わるようになってきている。このようなことから、近年の遊技場では遊技機以外であってもできる限り、装飾部材を設けて遊技機の外見と統一感を出し、より魅力的にしようという傾向が強くなっている。このため、遊技機と遊技機以外の領域（例えば、遊技機の外枠周辺等）の間でいかに統一感を出し、いかにして魅力的にするかが問題となっている。
【０００５】
しかしながら、遊技機の側方に取り付ける空気循環装置は、多種多様に派手な装飾を施した遊技機や遊技機の外枠周辺に比べると、当たり障りの無い色（例えば黒やグレー）が採用されている。そのため、遊技機の種類によっては派手な遊技機等に比べて遊技島全体の意匠に統一感が得られない虞がある。強いては、意匠の不一致の違和感により遊技者の遊技意欲が損なわれる虞がある。
【０００６】
そこで、本発明は上記課題を解決すべくなされたもので、遊技機や遊技機の周辺の意匠に合わせて意匠の変更が可能な遊技機用空気循環装置を提供することを目的とするものである。
【課題を解決するための手段】
【０００７】
本発明者は、上記課題を解決するためには、遊技者の視覚に入る空気循環装置の露出面の意匠を自在に変更することで、意匠の統一を図った。即ち、遊技機と統一感のある装飾を施したカバー（装飾部材）を空気循環装置に設置し、前記カバーを脱着自在にすることで、遊技機とカバーの意匠を統一させることを考えた。こうして試行錯誤を繰り返し導かれた請求項１に記載の発明は、１又は複数の遊技機が集まって形成される遊技機群を備えた遊技場に設置される空気循環装置であって、空気循環装置は空気循環機能を有する本体と装飾部材を有しており、前記本体は遊技機群に設置可能であり、遊技機群に本体を設置した状態で、本体から装飾部材を脱着可能な脱着手段を有し、前記装飾部材は、係合部と、嵌合部を有し、前記本体は、排気口又は吸気口を有しており、前記脱着手段は、以下の（１）又は（２）の条件を満たすことを特徴とする遊技機用空気循環装置である。
（１）前記脱着手段は、前記本体へ装飾部材を取り付ける場合に、前記装飾部材の後面が前記本体の前面に対して鋭角となるように前記装飾部材の嵌合部の一部を前記排気口に挿入し、本体と装飾部材との接触部分であって前記排気口以外の接触部分を回転軸として、前記装飾部材を本体側に回動させて、前記装飾部材の係合部を前記排気口に係合できる。
（２）前記脱着手段は、前記本体へ装飾部材を取り付ける場合に、前記装飾部材の後面が前記本体の前面に対して鋭角となるように前記装飾部材の嵌合部の一部を前記吸気口に挿入し、本体と装飾部材との接触部分であって前記吸気口以外の接触部分を回転軸として、前記装飾部材を本体側に回動させて、前記装飾部材の係合部を前記吸気口に係合できる。
すなわち、請求項１に記載の発明は、１又は複数の遊技機が集まって形成される遊技機群を備えた遊技場に設置される空気循環装置であって、空気循環装置は空気循環機能を有する本体と装飾部材を有しており、前記本体は遊技機群に設置可能であり、遊技機群に本体を設置した状態で、本体から装飾部材を脱着可能であることを特徴とする。
【０００８】
かかる構成によれば、遊技機群に本体を設置した状態で、本体から装飾部材を脱着可能であるため、遊技機用空気循環装置の本体を遊技島から取り外す必要がない。即ち、装飾部材のスムーズな取り替えが可能である。また、遊技機やその周辺の意匠に合わせた装飾部材の取り替えが可能であり、遊技機やその周辺と一体感を出すことが可能であり、遊技場全体で統一感を出すことが可能である。即ち、遊技者の視覚から遊技機を魅力的に見せ、遊技者の遊技意欲を掻き立てることが可能である。即ち、遊技場の売り上げの向上にもつながる。
【０００９】
上記した発明は、本体は排気口又は吸気口を有しており、前記排気口又は吸気口に装飾部材を係合させることによって本体に装飾部材を固定する係合部を有することとしてもよい。
【００１０】
かかる構成によれば、前記排気口又は吸気口に装飾部材を係合させることによって本体に装飾部材を固定する係合部を有するため、本体と装飾部材を固定可能であり、本体と装飾部材との締結動作が容易となる。即ち、装飾部材の取り替え作業が容易である。
【００１１】
請求項２に記載の発明は、締結部材によって装飾部材を本体に固定するものであり、本体と装飾部材の双方に亘って締結部材が挿入されていることを特徴とする請求項１に記載の遊技機用空気循環装置である。
請求項３に記載の発明は、１又は複数の遊技機が集まって形成される遊技機群を備えた遊技場に設置される空気循環装置であって、空気循環装置は空気循環機能を有する本体と装飾部材を有しており、前記本体は遊技機群に設置可能であって、本体の前面に立設した締結部を有し、遊技機群に本体を設置した状態で、本体から装飾部材を脱着可能な脱着手段を有し、前記装飾部材は、嵌合部と、締結貫通孔を有し、前記本体は、排気口又は吸気口を有しており、前記脱着手段は、以下の（３）又は（４）の条件を満たすことを特徴とする遊技機用空気循環装置である。
（３）前記脱着手段は、前記装飾部材の後面が前記本体の前面に対して鋭角となるように前記装飾部材の嵌合部の一部を前記排気口に挿入し、本体と装飾部材との接触部分であって前記排気口以外の接触部分を回転軸として、前記装飾部材を本体側に回動させて、前記本体の締結部を前記装飾部材の締結貫通孔に挿入できる。
（４）前記脱着手段は、前記装飾部材の後面が前記本体の前面に対して鋭角となるように前記装飾部材の嵌合部の一部を前記吸気口に挿入し、本体と装飾部材との接触部分であって前記吸気口以外の接触部分を回転軸として、前記装飾部材を本体側に回動させて、前記本体の締結部を前記装飾部材の締結貫通孔に挿入できる。
【発明の効果】
【００１２】
本発明の遊技機用空気循環装置は、遊技機群に本体を設置した状態で、本体から装飾部材を脱着可能であるため、遊技機用空気循環装置の本体を遊技島から取り外す必要がない。即ち、装飾部材のスムーズな取り替えが可能である。また、遊技機やその周辺の意匠に合わせた装飾部材の取り替えが可能であり、遊技機やその周辺と一体感を出すことが可能であり、遊技場全体で統一感を出すことが可能である。即ち、遊技者の視覚から遊技機を魅力的に見せ、遊技者の遊技意欲を掻き立てることが可能である。即ち、遊技場の売り上げの向上にもつながる。
【図面の簡単な説明】
【００１３】
【図１】本発明の実施形態に係る遊技場の構造を備えた遊技場の状況を示す説明図である。
【図２】遊技機を遊技した状況を示す説明図である。
【図３】本発明の第１実施形態に係る空気循環装置の斜視図である。
【図４】図３の空気循環装置の断面図である。
【図５】図３の空気循環装置の分解斜視図である。
【図６】図４のＩ領域の部分拡大図である。
【図７】図５のＡ方向から見た装飾部材の斜視図である。
【図８】筐体と装飾部材との取り付け方法を説明する断面図である。（ａ）取り付け前の説明図である。（ｂ）筐体の係合溝と装飾部材の係合部との係合時の説明図である。（ｃ）締結部材を挿入前の説明図である。
【図９】筐体の係合溝と装飾部材の係合部との係合過程の取り付け方法を説明する断面図である。（ａ）係合前の説明図である。（ｂ）係合時の説明図である。（ｃ）係合後の説明図である。
【図１０】本発明の第２実施形態に係る空気循環装置の分解斜視図である。
【図１１】本発明の第２実施形態に係る空気循環装置の断面図である。
【図１２】本発明の第３実施形態に係る空気循環装置の分解斜視図である。
【発明を実施するための形態】
【００１４】
以下に本発明の実施形態について詳細に説明する。
なお、以下の説明において、特に断りがない限り、上下左右の位置関係は、通常の設置位置を基準に説明する。即ち、図３において左右方向を左右、上下方向を上下、紙面に対して手前奥方向を前後と表す。
【００１５】
本実施形態の遊技場の構造は、主に複数の遊技機（パチンコ機やスロット機等）１５０を１つの群とした所謂遊技島１５１に適した構成であり、遊技場内においてはその遊技島１５１が複数配されている。そこで、以下の説明においては、理解を容易にするために、１つの遊技島１５１（遊技機群）に注目して説明する。
【００１６】
即ち、図１に示すように、遊技島１５１においては、所定台数分（図１では５台分）の遊技機取り付け部１５２が設けられており、その各遊技機取り付け部１５２に１台ずつ遊技機１５０が設置されている。具体的には、遊技島１５１においては、所定の台数の遊技機１５０が２列（図１の正面側に１列、後面側に１列）に配され、各列に遊技機１５０が並設されている。そして、各遊技機１５０に対向する位置に遊技者が着座可能な椅子（図２）が１脚ずつ配置されている。
なお、遊技島１５１の内部においては、柱や梁などの構造体の他、各遊技機１５０に遊技媒体（例えばパチンコ玉）を搬送する遊技媒体搬送装置（図示しない）、各遊技機１５０から回収された遊技媒体が一時的に貯留される貯留タンク（図示しない）、回収された遊技媒体の汚れを除去し磨く遊技媒体研磨装置（図示しない）等の遊技機１５０を動作させる際に関連する機器が配されているが、本発明においては特に関係がないため説明を省略する。
【００１７】
ところで、遊技島１５１において、隣り合う遊技機取り付け部１５２の間に台間取り付け部１５３を備えており、空気循環装置１が設けられている。即ち、遊技機１５０の両側若しくは片側であって、並設された遊技機１５０の各々に対して空気循環装置１（図１）が設けられている。
【００１８】
本実施形態に係る空気循環装置１は、遊技機１５０の側方の位置に設けられるものであり、空気循環装置１の遊技島１５１からの露出面の一部又は全ての装飾を自由に変更できるものである。空気循環装置１は、図３、４のように筐体２（本体）の内部に制御基板３とクロスファン５とフィルター８とを備えており、筐体２の前面１３に装飾部材７を備えている。
制御基板３は風量調節部（図示しない）から送られてきた信号を認識し、その信号に従い、クロスファン５を駆動制御する。フィルター８は筐体２の吸気口１１を通過するゴミやホコリ、におい、細菌等を吸着させ、取り除くことができる。フィルター８には、例えば活性炭フィルター等が採用される。即ち、空気循環装置１は、フィルター８により、ホコリやにおい等を除去でき、消臭効果を有する。
空気循環装置１は、筐体２の後面１４に設置される吸気口１１から遊技島１５１の内部の空気を吸引してフィルター８を透過し、クロスファン５の回転によって、筐体２の前面１３に設置される排気口１０から外部（遊技者側）に送り出される。
【００１９】
空気循環装置１は、上述したように、空気循環装置１の遊技島１５１からの露出面の一部又は全ての装飾を自由に変更できるものである。そこで、以下、本実施形態の特徴たる構成である筐体２及び装飾部材７について説明する。まず、筐体２の構成について説明する。
【００２０】
筐体２（本体）は、筐体２の前面１３（遊技者側）の構造に特徴たる構成を有している。筐体２は、図５のように前面１３に排気口１０を有し、後面１４には吸気口１１（図４）を有している。
吸気口１１は長方形状の開口であり、筐体２の後面１４に複数（本実施形態では２個）設置されている。筐体２は、筐体２の後面１４よりも内側（前方方向）で、且つそれぞれの吸気口１１の上下端部にフィルター固定部１２（図４）を備えている。フィルター固定部１２はフィルター８を吸気口１１の前方の位置に固定可能な部材である。
また排気口１０は長方形状の開口であり、筐体２の前面１３に複数（本実施形態では３個）設置されている。筐体２は、排気口１０よりも上方の位置に締結部材１６を締結可能な締結受け部２１を備えている。
【００２１】
筐体２は、図４、５のように筐体２の排気口１０の中で、最も下方の位置にある下側排気口１７に、凹部１８を有している。凹部１８は下側排気口１７の下端に設けられている。凹部１８は、装飾部材７の嵌合部２０と嵌合可能である。また、筐体２は、図４、６のように筐体２の排気口１０の中で、最も上方の位置にある上側排気口２２の上側の縁部（上縁３７）で且つ筐体２の内側角部には緩やかな丸みを帯びた切り欠き部２３を有している。切り欠き部２３は、装飾部材７の係合部２５の湾曲部３２に嵌合可能である。即ち、切り欠き部２３は、装飾部材７の係合部２５と係合可能である。
また、筐体２の外側側面には従来と同様、遊技島１５１の台間取り付け部１５３に固定するための突起部（図示しない）を有しており、台間取り付け部１５３の内側の溝に係合することで、台間取り付け部１５３に筐体２を固定している。
【００２２】
続いて、装飾部材７の構成について説明する。
装飾部材７は、断面略「コ」の字状の部材であり、筐体２の前面１３とその近傍を覆うことができる部材である。即ち、装飾部材７は、空気循環装置１を遊技島１５１に設置した場合に、遊技者の視覚に入る空気循環装置１の露出面の一部又は全部を覆うことができる部材である。装飾部材７は、図４のように筐体２と装飾部材７を組み立てて完成させた際に、排気口１０に対応する位置に装飾部材７の厚み方向（前後方向）に貫通した複数の排気貫通孔２６を備えている。本実施形態では、図５のように排気貫通孔２６は装飾部材７の長手方向（上下方向）に延伸した長方形状をしており、その各々が装飾部材７の幅方向（左右方向）に平行に設けられているが、本発明は、この形状や大きさや個数に限定されるものではない。排気貫通孔２６は、筐体２の内部からクロスファン５によって送り出される空気を透過させることができる。
また、装飾部材７は、図６のように筐体２と装飾部材７を組み立てて完成させた際に、締結受け部２１に対応する位置に装飾部材７を厚み方向（前後方向）に貫通した締結貫通孔２７を有している。締結貫通孔２７の内径は締結部材１６の胴部３８の外径よりも大きく、締結部材１６の頭部４０の外径よりも小さい。即ち、締結貫通孔２７は締結部材１６の胴部３８を挿通可能である。
また、装飾部材７は、図７のように後面３５に嵌合部２０と係合部２５を有している。嵌合部２０は断面略Ｌ字状であり、装飾部材７の後面３５に立設している。嵌合部２０は、図４のように筐体２と装飾部材７を組み立てて完成させた際に、下側排気口１７の下端とほぼ対応する位置に設けられている。嵌合部２０は、図７のように装飾部材７を支える胴部３０と筐体２からの離反に係止する係止部３１を有している。胴部３０の長さは、図
４のように筐体２の排気口１０の深さ（前後方向）よりもやや長い。係止部３１は胴部３０に対して略鉛直下方向に立設している
【００２３】
係合部２５は、図７のようにほぼ直線の棒状体であり、装飾部材７の後面３５に立設している。係合部２５は、図６のように筐体２と装飾部材７を組み立てて完成させた際に、上側排気口２２の上端の縁部（上縁３７）とほぼ対応する位置に設けられている。係合部２５の突端（後方側）付近には、上方向に突出し湾曲した湾曲部３２を有している。
また、係合部２５の湾曲部３２の上端と嵌合部２０の胴部３０との距離は上側排気口２２の切り欠き部２３と下側排気口１７の凹部１８の底部との距離にほぼ等しい。
また、装飾部材７の前面３３には、装飾部材７は作画や塗装等の装飾が施されている。装飾部材７の装飾は遊技機の色彩と統一感を有するものが好ましい。
また、装飾部材７の材質は特に限定はされないが、樹脂製等の屈設可能な材質が好ましい。
【００２４】
締結部材１６は、図５のように頭部４０と胴部３８を有しており、筐体２の締結受け部２１と嵌合可能な部材である。締結部材１６には例えばボルト等が採用される。
【００２５】
以下、空気循環装置１の各部材の位置関係、特に筐体２及び装飾部材７の位置関係について図面を参照しながら説明する。
空気循環装置１は、図１のように遊技島１５１内の台間取り付け部１５３に設置されている。空気循環装置１は、図４、５のように筐体２の下側排気口１７の凹部１８に、装飾部材７の嵌合部２０が挿入され嵌合されている。嵌合部２０の上面と下側排気口１７の下側の縁である下縁３６（凹部１８を除く）は面一である。筐体２の上側排気口２２には、図６のように装飾部材７の係合部２５が挿入され、筐体２の上側排気口２２の切り欠き部２３には、湾曲部３２が係合されている。筐体２の締結受け部２１と装飾部材７の締結貫通孔２７は連通しており、筐体２と装飾部材７の双方に亘って締結部材１６が挿入されている。また、筐体２と装飾部材７は締結受け部２１と締結部材１６が互いに嵌合され締結されている。
【００２６】
次に本実施形態の空気循環装置１の筐体２への装飾部材７の取り付け方法について説明する。
【００２７】
筐体２は、あらかじめ図１のように、遊技島１５１の台間取り付け部１５３に設置されている。まず、筐体２の下側排気口１７の凹部１８に装飾部材７の嵌合部２０を嵌合させる。具体的には、斜め下方向に装飾部材７を移動させ、筐体２の内部に装飾部材７の嵌合部２０を鋭角に挿入する（図８（ａ）から（ｂ））。その後、筐体２と装飾部材７との接触部分を回転軸として、装飾部材７を筐体２側に回動させる。そして、装飾部材７の係合部２５を筐体２の上側排気口２２に係合させる（図８（ｂ）から（ｃ））。なお、この装飾部材７の係合部２５と筐体２の上側排気口２２の係合機構について、さらに具体的に説明すると、空気循環装置１は、筐体２の上側排気口２２に装飾部材７の係合部２５を進入させると、係合部２５の先端が上側排気口２２の上側の縁（上縁３７）に当接する。係合部２５の湾曲部３２が湾曲し丸みを帯びているため、上縁３７の反力が下方向に分散され、係合部２５が下方向に撓む（図９（ａ）から（ｂ））。湾曲部３２が係合部の切り欠き部２３まで至ると、係合部２５の復元力により、係合部２５の撓みが解消され、装飾部材７の湾曲部３２が上側排気口２２の切り欠き部２３に係合される（図９（ｂ）から（ｃ））。
その後、締結部材１６を筐体２と装飾部材７の双方に亘って挿入し、筐体２と装飾部材７を接合し固定する。
【００２８】
空気循環装置１によれば、空気循環装置１があらかじめ遊技島１５１の台間取り付け部に設置されている状態でも、装飾部材７の脱着が可能である。そのため、遊技機の装飾に合わせて、任意の装飾部材７の設置が可能であり、意匠性を高めることができる。
【００２９】
続いて、以下、本発明の第２実施形態について説明する。なお、第１実施形態と同様のものは同じ符号を付して説明を省略する。
【００３０】
空気循環装置５０は、空気循環装置１とほぼ同様の構成を有しており、一部構造が異なる。即ち空気循環装置５０は、筐体５１及び装飾部材５２を有している。筐体５１の構成について説明する。
筐体５１は、筐体２の前面１３（遊技者側）の構造が異なる。即ち、筐体５１は、図１０、１１のように排気口５３と、排気口５３よりも上方の位置に上部締結受け部５５と、排気口５３よりも下方の位置に下部締結受け部５６とを有する。
排気口５３は、排気口１０とほぼ同様の構成を有するが、上側排気口２２及び下側排気口に凹部１８及び切り欠き部２３が存在しない。
また、上部締結受け部５５及び下部締結受け部５６は、締結部材６０を締結可能な部分である。
【００３１】
続いて、装飾部材５２の説明に移る。
装飾部材５２は、装飾部材７とほぼ同様の構成を有している。装飾部材５２は、図１０、１１のように筐体５１と装飾部材５２を組み立てて完成させた際に、筐体５１の上部締結受け部５５と下部締結受け部５６に対応する位置に装飾部材５２を厚み方向（前後方向）に貫通した締結貫通孔５７、５８を有する。また、装飾部材５２の後面には、嵌合部２０と係合部２５がない。
装飾部材５２は、図１０のように筐体５１と装飾部材５２を組み立てて完成させた際に、排気口５３に対応する位置に装飾部材５２の厚み方向（前後方向）に貫通した排気貫通孔５４を備えている。排気貫通孔５４には、接着剤等（図示しない）によって網状のメッシュ５９が貼られている。第１実施形態でも述べたように、本発明は、この形状や大きさや個数に限定されるものではない。
【００３２】
締結部材６０は、上部締結受け部５５又は下部締結受け部５６と嵌合可能な部材である。締結部材６０には例えばネジ等が採用される。
【００３３】
以下、空気循環装置５０の各部材の位置関係、特に筐体５１及び装飾部材５２の位置関係について図面を参照しながら説明する。
図１１のように筐体５１の上部締結受け部５５と装飾部材５２の締結貫通孔５７は連通しており、筐体５１と装飾部材５２の双方に亘って締結部材６０が挿入されている。また、上部締結受け部５５と締結部材６０は互いに嵌合し締結されている。
また、筐体５１の下部締結受け部５６と装飾部材５２の締結貫通孔５８は連通しており、筐体５１と装飾部材５２の双方に亘って締結部材６０が挿入されている。また、下部締結受け部５６と締結部材６０は互いに嵌合し締結されている。
【００３４】
次に本実施形態の空気循環装置５０の筐体５１への装飾部材５２の取り付け動作について説明する。
【００３５】
筐体５１の前面１３に装飾部材５２を配置し、締結部材６０を装飾部材５２の締結貫通孔５７、５８と筐体５１の上部締結受け部５５、上部締結受け部５６に挿入し、筐体５１と装飾部材５２を締結する。
【００３６】
空気循環装置５０によれば、装飾部材５２の構造がシンプルで、量産しやすい。即ち、低コストである。
【００３７】
続いて、以下、本発明の第３実施形態について説明する。なお、第１実施形態又は第２実施形態と同様のものは同じ符号を付して説明を省略する。
【００３８】
空気循環装置７０は、空気循環装置１とほぼ同様の構成を有しており、一部構造が異なる。即ち空気循環装置７０は、筐体７１と、締結受け部材７５と、装飾部材７２と、を有している。筐体７１は、締結受け部２１の代わりに、締結部７３を備えている。
締結部７３は、図１２のように筐体７１の前面１３に立設されており、筐体７１の前面１３から前方方向に突出している。締結部７３は略棒状の部材であり、嵌合部７６を有している。締結部７３の外径は装飾部材７の締結貫通孔２７の内径とほぼ同じがやや小さい。締結部７３の嵌合部７６は、締結受け部材７５と嵌合可能である。締結受け部材７５は、指等で挟持可能な頭部７８を有しており、例えば蝶ナット等が採用される。
装飾部材７２は、装飾部材７とほぼ同じ構成を有しており、表面の形状が異なる。即ち、装飾部材７２には、空気循環装置７０の周辺の意匠に合わせた形状をしている。即ち、図１２のように、表面に装飾を施し、遊技島との意匠の一体性を図っている。上記した実施形態でも述べたように、本発明は、この形状や大きさや個数に限定されるものではない。
【００３９】
以下、空気循環装置７０の各部材の位置関係、特に筐体７１及び装飾部材７の位置関係について図面を参照しながら説明する。
筐体７１の締結部７３は締結貫通孔２７に挿入されており、嵌合部７６が締結受け部材７５と嵌合することによって、筐体７１と装飾部材７が締結されている。
【００４０】
次に本実施形態の空気循環装置７０の筐体７１への装飾部材７の取り付け方法について説明する。
【００４１】
筐体７１の前面１３から突出した締結部７３が装飾部材７の締結貫通孔２７を貫通する様に装飾部材７を配置する。その後、締結部７３の嵌合部７６を締結受け部材７５に嵌合させる。
【００４２】
締結受け部材７５は指等で挟持可能な頭部７８を有しているため、指によって脱着可能な部材であり、道具を用いずに装飾部材７の取り替えが可能である。即ち、作業効率が向上する。
【００４３】
上記した実施形態では、エアカーテン等の空気を送風する空気循環装置について説明したが、空気清浄機のような空気を吸引する空気循環装置であってもよい。即ち、排気口と吸気口が入れ替わっていてもよい。
【００４４】
上記した実施形態では、作画や塗装等の装飾を施した装飾部材を例に挙げたが、絵や色彩等の装飾だけではなく、電飾等を施した装飾や立体的な装飾であってもよい。
【符号の説明】
【００４５】
１、５０、７０  空気循環装置
２、５１、７１  筐体（本体）
７、５２  装飾部材
１０、５３  排気口
１１  吸気口
１６、６０  締結部材
７３、７４  締結部（締結部材）
１５０  遊技機
１５１  遊技島（遊技機群）
【図１】
0005863237.tif 000002
【図２】
0005863237.tif 000003
【図３】
0005863237.tif 000004
【図４】
0005863237.tif 000005
【図５】
0005863237.tif 000006
【図６】
0005863237.tif 000007
【図７】
0005863237.tif 000008
【図８】
0005863237.tif 000009
【図９】
0005863237.tif 000010
【図１０】
0005863237.tif 000011
【図１１】
0005863237.tif 000012
【図１２】
0005863237.tif 000013